(57)【要約】【課題】廉価な費用で形成することができ、しかも咀嚼効果を向上できる人工歯用埋設部材を提供すること。【解決手段】金属咬頭１０Ａは、下顎側総義歯１の第１小臼歯３、第２小臼歯４に連接して埋設する。金属咬頭１０Ａは、２個の長円板状の咬頭分体１１ａ、１１ａの端部を連接して１個の咬頭本体１１として形成している。それぞれの咬頭分体１１ａには、咬頭分体１１ａの上面に凹状に形成する咬合面１２Ａを形成して上顎側総義歯の小臼歯に咬合可能に形成する。咬頭本体１０Ａの長手方向の両側部に溝１４を形成して接着剤を充填可能とする。咬合本体１１を第１小臼歯３、第２小臼歯４に連接して形成した凹部３ａ、４ａに挿入することによって金属咬頭１０Ａは接着剤で下顎側総義歯１に接合される。【選択図】図２
2009125375.tif 000002
【特許請求の範囲】
【請求項１】
樹脂製で形成された人工歯の下顎側総義歯における隣接する２本の小臼歯に連接状態で埋設可能に形成され、前記小臼歯に対向する上顎側総義歯の小臼歯と咬合する咬合面を有するとともに、金属材料からなることを特徴とする人工歯用埋設部材。
【請求項２】
金属製で形成される一対の長円板状部材がそれぞれの端部で一体的に結合され、一方の面には凹状の咬合面が形成され、他方の面には樹脂製の人工歯に支持される支持面が形成されていることを特徴とする人工歯用埋設部材。
【請求項３】
前記一対の長円板状部材は、前記人工歯の２本の小臼歯に埋設されていることを特徴とする請求項２記載の人工歯用埋設部材。
【請求項４】
前記長円板状部材の側面に、前記人工歯に接合するための接着剤を挿入する溝部が形成されていることを特徴とする請求項２又は３記載の人工歯用埋設部材。
【請求項５】
前記凹状の咬合面が、前記一対の長円板状部材にわたって連接して形成されていることを特徴とする請求項２，３又は４のいずれかに記載の人工歯用埋設部材。
【請求項６】
前記凹状の咬合面が、前記一対の長円板状部材のそれぞれに単一に形成されていることを特徴とする請求項２，３又は４のいずれかに記載の人工歯用埋設部材。
【発明の詳細な説明】
【技術分野】
【０００１】
本発明は人工歯を使用する使用者が快適に食を楽しむことができる人工歯用埋設部材に関する。
【背景技術】
【０００２】
従来、人工歯は樹脂材料で形成されていた。樹脂材料で形成された人工歯の場合、食物を細かく噛み砕いて擦り合わせする臼歯を鋭利にすると、摩耗し易いため鋭利に形成することができなかった。そのため、咀嚼機能を低下させることとなっていた。また、人工歯をセラミックで形成した場合、セラミックは欠け易くしかも咬合調整する際に困難な加工作業を伴うこととなっていたことからコストを高くすることとなっていた。さらに樹脂材料で形成された人工歯に金属材料を溶かして咬頭に埋設することも試みられていた。しかし、金属材料を溶かして埋設する方法は、石膏に入れて成形するものであったことから、手間と時間がかかり、やはりコストの高いものとなっていた。
【０００３】
一方、これらに対して、特許文献１又は特許文献２には、金属製の人工咬頭（金属咬頭という）を義歯に埋設したことが開示されている。
【０００４】
特許文献１によると、総義歯の上顎側義歯における第１大臼歯及び第２大臼歯に金属咬頭を設け、下顎側義歯にこれと咬合する凹部を形成している。金属咬頭は上部構造と下部構造とを有し、上部構造は上方に突出するとともに、その斜面に形成される複数箇所の凹みと、凹み間に放射線状に形成される稜線状のブレードとが設けられている。ブレードは比較的緩い傾斜面に形成され丸く整形された頂部を有している。下部構造は、円筒型に形成され、凹溝と突端部とより成る抜け止め用係合部と、周縁の下端部を一部除去した切欠よりなる周り止め用の係合部とを備えている。そして、下顎側義歯にドリルで凹部を形成した後、凹部と形状、大きさが適合する金属咬頭を仮接着して上顎側義歯の咬頭に金属咬頭の軸部端面を押し付けて印をつける。この印に従って上顎側義歯の機能咬頭にドリルで凹陥部を形成する。この凹陥部に金属咬頭の下部構造を合着剤とともに植え込む。これによって、金属咬頭の上部構造が咬合相手の義歯の凹部に形状及び位置的に適合した状態で咬合することができ、咀嚼効果を向上できることとなっていた。
【０００５】
また、特許文献２によると、特許文献２は特許文献１を従来技術として改良したものであって、合成樹脂又はセラミック、あるいは合成樹脂とセラミックの複合物から成る歯色本体部と歯色本体部に固定してなる歯科金属製の金属成形部とから成る上顎臼歯又は下顎臼歯を備えている。金属成形部を備える上顎臼歯又は下顎臼歯の相手側には、金属成形部と咬合する咬合面に金属成形部を形成している。また、お互いに咬合する上顎臼歯金属成形部と下顎臼歯の金属成形部とは凹凸形状をしている。これによって優れた耐摩耗性が実現できるとともに、陶歯の衝撃や騒音を解消することができることとなっていた。
【特許文献１】特公平５−２３７７４号公報
【特許文献２】特開２００３−１３５４８９公報
【発明の開示】
【発明が解決しようとする課題】
【０００６】
特許文献１の場合、人工歯を形成する方法において、ドリルによる凹部形成のための孔明け工程、金属材料からなる金属咬頭の仮接着工程、上顎側義歯咬頭の印作成工程、上顎側義歯の咬頭に凹陥部を形成する工程等を経ることから、時間と手間がかかりコストが高くなっていた。また、特許文献２の場合、上顎臼歯と下顎臼歯の咬合面がいずれも金属製の凹凸形状で形成されているため、咬合状態を調整するための加工に時間と手間がかかりやはり廉価に形成することができない。また、いずれの特許文献の場合でも、１本の臼歯に対して金属材料の咬頭を１個挿入することから、さらにコストを高くすることとなっていた。
【課題を解決するための手段】
【０００７】
本発明は、上述の課題を解決するものであり、コストを廉価にして、咀嚼効果を向上することができる人工歯用埋設部材を提供することを目的とする。
【０００８】
そのために本発明の人工歯用埋設部材は、以下のように構成するものである。すなわち、
請求項１記載の発明の人工歯埋設部材では、樹脂製で形成された人工歯の下顎側総義歯における隣接する２本の小臼歯に連接状態で埋設可能に形成され、前記小臼歯に対向する上顎側総義歯の小臼歯と交合する咬合面を有するとともに、金属材料からなることを特徴とするものである。
【０００９】
請求項２記載の発明の人工歯埋設部材では、金属製で形成される一対の長円板状部材がそれぞれの端部で一体的に結合され、一方の面には凹状の咬合面が形成され、他方の面には樹脂製の人工歯に支持される支持面が形成されていることを特徴とするものである。
【００１０】
請求項３記載の発明では、前記一対の長円板状部材は、前記人工歯の２本の小臼歯に埋設されていることを特徴としている。
【００１１】
請求項４記載の発明では、前記長円板状部材の側面に、前記人工歯に接合するための接着剤を挿入する溝部が形成されていることを特徴としている。
【００１２】
請求項５記載の発明では、前記凹状の咬合面が、前記一対の長円板状部材にわたって連接して形成されていることを特徴としている。
【００１３】
請求項６記載の発明では、前記凹状の咬合面が、前記一対の長円板状部材のそれぞれに独立して形成されていることを特徴としている。
【発明の効果】
【００１４】
本発明によれば、本発明の人工歯用埋設部材は、総義歯に対して好適に使用できるものであり、２本の臼歯に対して金属材料で形成する咬頭を下顎側咬合面に埋設可能に形成されていることから、咀嚼効果を向上できるとともに廉価な費用で形成することができる。また、この人工歯用埋設部材を下顎側義歯に設け、上顎側義歯に金属咬頭を埋設しない従来の樹脂製の材料で形成すれば、埋設される埋設部材との咬合面の加工を容易に行うことができる。
【００１５】
さらに、埋設部材の側面に溝を形成し、この溝に接着剤を充填することによって、人工歯の臼歯との接合を確実なものとして埋設部材の脱着を防止することができる。
【発明を実施するための最良の形態】
【００１６】
次に、本発明の人工歯用埋設部材の一形態について図面に基づいて説明する。図１は、下顎側総義歯の平面図を示すものであり、人工歯用埋設部材（以下、金属咬頭という。）１０が、下顎側総義歯１（以下、単に総義歯１ともいう。）の２本の小臼歯（第１小臼歯３、第２小臼歯４）に埋設されている。第１小臼歯３、第２小臼歯４は、義歯床５上に支持されており、義歯床５と樹脂材料で一体的に形成されている。なお、総義歯１には、第１小臼歯３に隣接して犬歯７が設けられ、第２小臼歯４に隣接して大臼歯８が設けられている。
【００１７】
金属咬頭１０は上面に上顎用総義歯に交合する咬合面１２が形成されている。咬合面１２は各種の形態が検討され、以下、第１の形態から第３の形態で説明する。第１の形態の金属咬頭１０Ａは、図２〜３に示すように、長円板状の咬頭分体１１ａ、１１ａを長手方向に一対並設してその端部で連接して一体的な咬頭本体１１として形成されている。それぞれの咬頭分体１１ａには上面に長円凹状の咬合面１２Ａが形成され、咬頭本体１１の下面は、小臼歯３、４に形成された凹部３ａ、４ａの底面に支持される平面上の支持面１３として形成されている。咬頭本体１１の長手方向に沿った両側面には溝１４が形成されて接着剤が充填される。
【００１８】
金属咬頭１０Ａは、歯科用金属、例えばチタン等の材料で形成され、第１小臼歯３、第２小臼歯４の咬合面に形成された凹部３ａ、４ａに、上面が第１小臼歯３、第２小臼歯４より僅かに突出して嵌入されている。第１小臼歯３、第２小臼歯４の凹部３ａ、４ａは金属咬頭１０Ａを嵌入するために金属咬頭１０Ａの外形と略同様の形状をしており底面は平面上に形成されている。
【００１９】
次に第１の形態の金属咬頭１０Ａの義歯への装着作用について説明する。第１の形態の場合、下顎側総義歯１には第１小臼歯３、第２小臼歯４にそれぞれ金属咬頭１０Ａが埋設されるが、上顎側総義歯には、金属咬頭１０は埋設されない。これは、上顎側総義歯と下顎側総義歯１との咬合状態を調整する際、金属咬頭１０に合わせて上顎用の総義歯の小臼歯を加工する作業を容易に行うためである。つまり、上顎側小臼歯は金属咬頭１０より軟らかい樹脂で形成されているためその加工がしやすい。
【００２０】
金属咬頭１０Ａを下顎用総義歯１に埋設する場合、まず、第１小臼歯３、第２小臼歯４の咬合面に、金属咬頭１０Ａの外形に合わせて凹部３ａ、４ａを、両端部が連接できるように加工する。この際、凹部３ａ、４ａの深さを金属咬頭１０Ａの高さより小さく形成する。金属咬頭１０Ａの側面に形成された溝１４に接着剤を充填した後、第１小臼歯３、第２小臼歯４の凹部３ａ、４ａに金属咬頭１０Ａを挿入する。金属咬頭１０Ａは、第１小臼歯３、第２小臼歯４の上面より僅かに突出することとなる。この状態で上顎側総義歯の第１小臼歯と第２小臼歯の咬合面を、金属咬頭１０Ａの咬合面１２Ａに咬合させて加工をする。金属咬頭１０Ａは第１小臼歯３、第２小臼歯４の咬合面より僅かに突出しているから、上顎側総義歯の第１小臼歯、第２小臼歯は僅かに凹状を有して形成されることとなる。
【００２１】
この形態の金属咬頭１０Ａでは、総義歯１の２本の小臼歯に１個の金属咬頭１０Ａを埋設できるから、例えば、金属咬頭１０Ａをプレス加工で行うことによって、廉価な費用で形成することができる。また、咬合面１２Ａは、それぞれの小臼歯３、４に対して独立した１個の長円状に形成しているから、食物を噛み砕く際に切断し易く咀嚼効果を向上することができる。
【００２２】
次に、第２の形態の金属咬頭１０Ｂについて説明する。第２の形態の金属咬頭１０Ｂの咬頭本体１１は、図４〜５に示すように、外形は第１の形態の金属咬頭１０Ａの咬頭本体１１と同様に形成されている。第１小臼歯３と第２小臼歯４の各咬頭分体１１ａに形成されたそれぞれの凹状の咬合面はそれぞれの端部どうしが連接することによって一体的な咬合面１２Ｂとして形成されている。他の形状については、第１の形態と同様、咬合本体１１の下面は支持面１３として形成され、咬合本体１１の両側面にはそれぞれ接着剤を充填する溝１４が形成されている。また、金属咬頭１０Ｂを下顎側総義歯１に装着する作用も第１の形態と同様である。
【００２３】
この形態の金属咬頭１０Ｂの場合、咬合面１２Ｂが一対の咬頭分体１１ａ、１１ａを跨ぐように連接して形成されているから、第１の形態の金属咬頭１０Ａが細かく咬み砕くことができることに対して、咬合面１２Ｂを長手方向に広くすることとなって食物を保持しやすくできる。この金属咬頭１０Ｂも２本の小臼歯に対して１個の咬頭本体１１で形成されることによって、廉価な費用で形成することができる。
【００２４】
次に、第３の形態の金属咬頭１０Ｃについて説明する。第３の形態の金属咬頭１０Ｃは、図６〜８に示すように、第１の形態と同様、長円板状の咬頭分体１１ａを長手方向に一対並設してその端部で連接して１個の咬頭本体１１として形成されている。それぞれの咬頭分体１１ａ、１１ａには上面にスリット状の咬合面１２Ｃ、１２Ｃが独立して形成されている。それぞれの咬頭分体１１ａの上面には、それぞれの咬合面１２Ｃの長手方向と直交する方向に沿って、一方の側に１本の切欠溝１５ａが、咬合面１２Ｃの長手方向中央部の位置に形成され、他方の側に２本の切欠溝１５ｂ、１５ｂが、咬合面１２Ｃの長手方向の中央部を間にして形成されている。咬頭本体１１の下面は小臼歯３、４に形成された凹部３ａ、４ａ（図３参照）の底面に支持される平面上の支持面１３として形成されるとともに、支持面１３に複数個の小孔１６が長手方向に沿って形成されている。咬頭本体１１の長手方向に沿った両側面には、第１の形態の金属咬頭１０Ａ、第２の形態の金属咬頭１０Ｂと同様、溝１４が形成されて接着剤が充填される。
【００２５】
この形態の金属咬頭１０Ｃは、咬合面１３Ｃがスリット状に形成されていることから、固くて咬み難い食物に好適に使用される。切欠溝１５ａ、１５ｂはスリット状の咬合面１２Ｃに連接することによって咬合面１２Ｃに溜まり易い食物の流れをよくするという効果を有する。また、咬頭本体１１の支持面１３に形成された小孔１６は、金属咬頭１０Ｃを小臼歯３、４に接着する際、接着剤を挿入するために形成されたものであり、溝１４に加えて接着面積をより広くして接着効率を向上するものである。
【００２６】
上述のように、実施形態の金属咬頭１０は、長手方向に沿って並設された一対の長円板状の咬頭分体１１ａを有し、各咬頭分体１１ａを連接して一体的な咬頭本体１１としたことから，２本の小臼歯３、４に連接した状態で装着できる。そのため、咬頭本体１０を、例えば、プレス加工で形成することによって廉価な費用で形成できる。しかも、金属咬頭１０（１０Ａ、１０Ｂ、１０Ｃ）は下顎側総義歯１に装着し、上顎側総義歯は従来の樹脂材料で形成されたものを使用するので、総義歯１自体を廉価に形成することができる。
【００２７】
また、咬頭本体１１には、側面に接着剤を充填可能な溝１４を形成することによって、金属咬頭１０を小臼歯に脱着することなく装着することができる。
【００２８】
なお、本発明の人工歯用埋設部材は、上記の形態に限定するものではない。例えば、第１の形態における咬合面１２Ａは、長円状でなくても新円状でもよくまた矩形状でもよい。第３の形態におけるスリット状の咬合面１２Ｃは一対の咬頭分体１１ａどうしを跨るように一体的に形成してもよい。
【００２９】
また、２個の咬合本体分体１１ａを連接して形成する１個の咬合本体１１に対して，咬合面１２をそれぞれ独立して形成することによって、細かく切断し易くすることができ、また、連接して形成することによって、食物を保持できるとともに咀嚼効率を向上することができる。
【図面の簡単な説明】
【００３０】
【図１】本発明による一形態の金属咬頭を、下顎側総義歯に埋設した状態を示す平面図である。
【図２】図１における金属咬頭の第１の形態を示す平面図である。
【図３】同正面図である。
【図４】図１における金属咬頭の第２の形態を示す平面図である。
【図５】同正面図である。
【図６】図１における金属咬頭の第３の形態を示す平面図である。
【図７】図６におけるVII−VII断面図である
【図８】図６におけるVIII−VIII断面図である。
【符号の説明】
【００３１】
１、総義歯
３、第１小臼歯
３ａ、凹部
４、第２小臼歯
４ａ、凹部
１０、金属咬頭（埋設部材）
１１、咬頭本体
１１ａ、咬頭分体
１２、咬合面
１３、支持面
１４、溝
１５ａ、切欠溝
１５ｂ、切欠溝
【図１】
2009125375.tif 000003
【図２】
2009125375.tif 000004
【図３】
2009125375.tif 000005
【図４】
2009125375.tif 000006
【図５】
2009125375.tif 000007
【図６】
2009125375.tif 000008
【図７】
2009125375.tif 000009
【図８】
2009125375.tif 000010